(57)【要約】【課題】隣接セル間で干渉が発生するマルチセル環境でも効率的にＬＴＥセルが検出できるようにするマルチセル環境におけるＬＴＥセル検出装置を提供する。【解決手段】本発明のＬＴＥセル検出装置は、特定サブフレームに含まれるすべてのＳＳＳの基準信号を生成するＳＳＳ基準信号生成部と、前記ＳＳＳ基準信号生成部によって生成された前記ＳＳＳの基準信号に対する基準位相差シーケンスを保存するメモリと、受信された無線信号に対してＦＦＴ演算を行ってＰＳＳ及びＳＳＳを出力するＦＦＴ演算部と、前記ＦＦＴ演算部から出力されたＰＳＳによってＬＴＥ時間同期を獲得する時間同期獲得部と、前記時間同期獲得部によって獲得された時間同期情報及び前記ＦＦＴ演算部から出力された受信ＳＳＳの位相差シーケンスと前記メモリに保存されている前記基準位相差シーケンスとの間の相関度によってＬＴＥセルを検出するセル検出部と、を含む。【選択図】図３
2014204439.tif 000002
【特許請求の範囲】
【請求項１】
特定のサブフレームに含まれるすべてのＳＳＳの基準信号を生成するＳＳＳ基準信号生成部と、
前記ＳＳＳ基準信号生成部によって生成された前記ＳＳＳの基準信号に対する基準位相差シーケンスを保存するメモリと、
受信された無線信号に対してＦＦＴ演算を行ってＰＳＳ及びＳＳＳを出力するＦＦＴ演算部と、
前記ＦＦＴ演算部から出力されたＰＳＳによってＬＴＥ時間同期を獲得する時間同期獲得部と、
前記時間同期獲得部によって獲得された時間同期情報及び前記ＦＦＴ演算部から出力された受信ＳＳＳの位相差シーケンスと前記メモリに保存されている前記基準位相差シーケンスとの間の相関度によってＬＴＥセルを検出するセル検出部と、
を含むことを特徴とする、マルチセル環境におけるＬＴＥセル検出装置。
【請求項２】
前記特定のサブフレームはサブフレーム０及び５であって、前記ＳＳＳは総計１６８個からなることを特徴とする、請求項１に記載のＬＴＥセル検出装置。
【請求項３】
それぞれの前記ＳＳＳは、３１ビットの長さからなる２つのｍ−ｓｅｑｕｅｎｃｅがサブフレーム０とサブフレーム５に異なる順序で交互に配置されることを特徴とする。請求項２に記載のＬＴＥセル検出装置。
【請求項４】
前記位相差シーケンスは、
2014204439.tif 000021
によって決定され、ｎは０から６１までの数であって、ｘ（ｎ）はサブフレーム０と５のＳＳＳを表し、ｃｏｎｊは複素共役（ｃｏｎｊｕｇａｔｅ）演算を表すことを特徴とする、請求項２または３に記載のＬＴＥセル検出装置。
【発明の詳細な説明】
【技術分野】
【０００１】
本発明は、隣接セル間で干渉が発生するマルチセル環境であっても効率的にＬＴＥ（Ｌｏｎｇ  Ｔｅｒｍ  Ｅｖｏｌｕｔｉｏｎ）セルが検出できるようにする、マルチセル環境におけるＬＴＥセル検出装置（ＬＴＥ  ｃｅｌｌ  ｄｅｔｅｃｔｉｎｇ  ａｐｐａｒａｔｕｓ  ｉｎ  ｍｕｌｔｉ−ｃｅｌｌ  ｅｎｖｉｒｏｎｍｅｎｔ）に関する。
【背景技術】
【０００２】
図１は、ＬＴＥ  ＦＤＤ（Ｆｒｅｑｕｅｎｃｙ  Ｄｉｖｉｓｉｏｎ  Ｄｕｐｌｅｘｉｎｇ）方式における１０ｍｓの無線フレームの構造図である。図１に示すように、ＬＴＥ通信システムにおいてセル検出は同期信号（ＳＳ；Ｓｙｎｃｈｒｏｎｉｚａｔｉｏｎ  Ｓｉｇｎａｌ）により行われる。このような同期信号（ＳＳ）は、さらにＰＳＳ（Ｐｒｉｍａｒｙ  Ｓｙｎｃｈｒｏｎｉｚａｔｉｏｎ  Ｓｉｇｎａｌ）とＳＳＳ（Ｓｅｃｏｎｄａｒｙ  Ｓｙｎｃｈｒｏｎｉｚａｔｉｏｎ  Ｓｉｇｎａｌ）に区分されるが、それぞれあらかじめ定義されたタイムスロット（ｔｉｍｅ  ｓｌｏｔ）で１０ｍｓ当たりに２回ずつ伝送される。
【０００３】
一方、ＬＴＥ通信システムはセル確認のための総５０４個の物理階層セルＩＤ（ｃｅｌｌＩＤ）を有するが、このような５０４個の物理階層セルＩＤは、さらに１６８個のセルＩＤグループ
2014204439.tif 000003
に区分され、各グループは３つの物理階層ＩＤ
2014204439.tif 000004
で構成される。これによって、それぞれのセルグループは０、１及び２の３つの物理階層ＩＤ
2014204439.tif 000005
を含む。
【０００４】
それぞれのＬＴＥセルには、セル確認ができるように５０４個の物理階層セルＩＤのうちの１つが割り当てられるが、無線移動通信環境では端末が多くのＬＴＥ下向きリンク（ｄｏｗｎｌｉｎｋ）信号を受信するので、このように受信された多くのＬＴＥ信号の物理階層セルＩＤをそれぞれ検出して網接続及びハンドオーバ（ｈａｎｄｏｖｅｒ）などに用いられることになる。
【０００５】
下記数１はＰＳＳ生成のためのシーケンス
2014204439.tif 000006
である。
【０００６】
【数１】
2014204439.tif 000007
【０００７】
従来のＰＳＳ生成のためのシーケンス
2014204439.tif 000008
は、数１のようにＺａｄｏｆｆ−ｃｈｕシーケンスとして生成され、Ｚａｄｏｆｆ−ｃｈｕシーケンスのルートシーケンスインデックス（ｒｏｏｔ  ｓｅｑｕｅｎｃｅ  ｉｎｄｅｘ）ｕは下記の表１のように
2014204439.tif 000009
値によって決定される。
【０００８】
【表１】
2014204439.tif 000010
【０００９】
ＳＳＳは１６８個の
2014204439.tif 000011
情報を伝送し、それぞれ３１ビットの長さを有する２つのｍ−ｓｅｑｕｅｎｃｅで構成される。ＳＳＳを定義する３１ビットの長さのｍ−ｓｅｑｕｅｎｃｅは、下記の数２のようにサブフレーム（ｓｕｂｆｒａｍｅ）０とサブフレーム５とで異なるように構成される。
【００１０】
【数２】
2014204439.tif 000012
【００１１】
数２に示すように、複数の２つのシーケンス
2014204439.tif 000013
と
2014204439.tif 000014
は、
2014204439.tif 000015
によって決定されるｍ０とｍ１値によって決定されるが、端末に複数のＳＳが受信された状態において隣接セル間でｍ０とｍ１とが同一になると干渉が大きくなってしまってセル検出が難しくなる。また端末に複数のＳＳＳが受信されると、ＳＳＳを生成するためのｍ−ｓｅｑｕｅｎｃｅの特性上、干渉が大きくなってしまってセル検出性能が悪くなる。
【発明の概要】
【発明が解決しようとする課題】
【００１２】
本発明は、上記の問題点を解決するために創作されたものであって、隣接セル間で干渉が発生するマルチセル環境でも効率的にＬＴＥセルが検出できるようにする、マルチセル環境におけるＬＴＥセル検出装置を提供することを目的とする。
【課題を解決するための手段】
【００１３】
上記目的を達成するために本発明のマルチセル環境におけるＬＴＥセル検出装置は、特定のサブフレームに含まれるすべてのＳＳＳの基準信号を生成するＳＳＳ基準信号生成部と、前記ＳＳＳ基準信号生成部によって生成された前記ＳＳＳの基準信号に対する基準位相差シーケンスを保存するメモリと、受信された無線信号に対してＦＦＴ演算を行ってＰＳＳ及びＳＳＳを出力するＦＦＴ演算部と、前記ＦＦＴ演算部から出力されたＰＳＳによってＬＴＥ時間同期を獲得する時間同期獲得部と、前記時間同期獲得部によって獲得された時間同期情報及び前記ＦＦＴ演算部から出力された受信ＳＳＳの位相差シーケンスと前記メモリに保存されている前記基準位相差シーケンスとの間の相関度によってＬＴＥセルを検出するセル検出部とを含む。
【００１４】
上記構成において、前記特定のサブフレームはサブフレーム０及び５であって、前記ＳＳＳは総１６８個からなることを特徴とする。
【００１５】
それぞれの前記ＳＳＳは、３１ビットの長さからなる２つのｍ−ｓｅｑｕｅｎｃｅがサブフレーム０とサブフレーム５に異なる順序で交互に配置されることを特徴とする。
【００１６】
前記位相差シーケンスは、
2014204439.tif 000016
によって決定され、ｎは０から６１までの数であって、ｘ（ｎ）はサブフレーム０と５のＳＳＳを表し、ｃｏｎｊは複素共役（ｃｏｎｊｕｇａｔｅ）演算を表すことを特徴とする。
【発明の効果】
【００１７】
本発明のマルチセル環境におけるＬＴＥセル検出装置によれば、隣接セル間で干渉が発生するマルチセル環境でもＳＳＳを正確に検出し、これを基準として効率的かつ正確にＬＴＥセルを検出することができる。
【図面の簡単な説明】
【００１８】
【図１】ＬＴＥ  ＦＤＤ（Ｆｒｅｑｕｅｎｃｙ  Ｄｉｖｉｓｉｏｎ  Ｄｕｐｌｅｘｉｎｇ）方式における１０ｍｓの無線フレームの構造図である。
【図２Ａ】それぞれＬＴＥ標準によりサブフレーム０及び５における５ｍｓごとに繰り返し伝送されるＳＳＳシーケンスを生成する原理を説明するための図である。
【図２Ｂ】それぞれＬＴＥ標準によりサブフレーム０及び５における５ｍｓごとに繰り返し伝送されるＳＳＳシーケンスを生成する原理を説明するための図である。
【図３】本発明のマルチセル環境におけるＬＴＥセル検出装置のブロック構成図である。
【図４】図３におけるセル検出部の詳細ブロック構成図である。
【発明を実施するための形態】
【００１９】
以下、添付図面を参照して本発明のマルチセル環境におけるＬＴＥセル検出装置の好適な実施形態について詳細に説明する。
【００２０】
一般に、ＬＴＥ通信システムは、５ｍｓごとに同一信号が伝送されるＰＳＳを用いて５ｍｓタイミングを検出し、ＳＳＳを用いてダウンリンクフレームの境界（ｂｏｕｎｄａｒｙ）を検出する。このようにしてダウンリンクフレームの境界を検出することになると、ＬＴＥ通信システムは物理階層セルＩＤである
2014204439.tif 000017
を検出しなければならない。しかし、複数のＬＴＥ信号が受信されるマルチセル環境や隣接セル間においてＳＳＳ生成のためのパラメータであるｍ０とｍ１の値が同一になると上記の数２に示すように、
2014204439.tif 000018
と
2014204439.tif 000019
の値が同一になる。その結果、ｍ−ｓｅｑｕｅｎｃｅを用いるＳＳＳ間の干渉が大きくなって、ＳＳＳ検出が難しくなる。
【００２１】
これを勘案して、本発明は、複数のＬＴＥ信号が受信されるマルチセル環境で効率的にＳＳＳを検出するために連続された隣接シーケンスの位相差を利用する。
【００２２】
図２Ａ及び図２Ｂは、それぞれＬＴＥ標準によりサブフレーム０及び５で５ｍｓごとに繰り返し伝送されるＳＳＳシーケンスを生成する原理を説明するための図である。図２に示すように、６２個のＳＳＳシーケンスを生成するために３１ビットの長さからなる２つのｍ−ｓｅｑｕｅｎｃｅを生成した後に、これら２つのｍ−ｓｅｑｕｅｎｃｅをサブフレーム０とサブフレーム５とに異なる順序で交互に配置していることがわかる。
【００２３】
本発明では、このように２つの独立したｍ−ｓｅｑｕｅｎｃｅが交互に配置される特性を利用してＳＳＳを検出する。
【００２４】
図３は、本発明のマルチセル環境におけるＬＴＥセル検出装置のブロック構成図である。図３に示すように、本発明のマルチセル環境におけるＬＴＥセル検出装置は、サブフレーム０及びサブフレーム５に含まれる総計１６８個のＳＳＳ基準信号を生成するＳＳＳ基準信号生成部４０、ＳＳＳ基準信号生成部４０によって生成された総計１６８個のサブフレーム０及びサブフレーム５のＳＳＳ基準信号の基準位相差シーケンスを生成する第１ＳＳＳ位相差シーケンス生成部５０、第１ＳＳＳ位相差シーケンス生成部５０によって生成された基準位相差シーケンスを保存するメモリ６０、受信された無線信号でＣＰ（Ｃｙｃｌｉｃ  Ｐｒｅｆｉｘ）が除去され、続いて直並列変換された信号（純粋ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅ））に対してＦＦＴ（Ｆａｓｔ  Ｆｏｕｒｉｅｒ  Ｔｒａｎｓｆｏｒｍａｔｉｏｎ）演算を行ってＰＳＳ及びＳＳＳを出力するＦＦＴ演算部１０、ＦＦＴ演算部１０から出力されたＰＳＳによってＬＴＥ時間同期を獲得する時間同期獲得部２０、及び、時間同期獲得部２０によって獲得された時間同期情報及びＦＦＴ演算部１０から出力された受信ＳＳＳの位相差シーケンスとメモリ６０に保存されている１６８個の基準位相差シーケンスとの間の相関度によってＬＴＥセルを検出するセル検出部３０を含む。
【００２５】
図４は、図３におけるセル検出部３０の詳細ブロック構成図である。図４に示すように、本発明によるセル検出部３０は、基地局から受信されたサブフレーム０と５に存在するＳＳＳのＦＦＴ演算結果を入力して受信ＳＳＳの位相差シーケンスを生成する第２ＳＳＳ位相差シーケンス生成部３２、及び第２ＳＳＳ位相差シーケンス生成部３２から出力された受信ＳＳＳの位相差シーケンスとメモリ６０から読み出した総計１６８個の基準位相差シーケンスとの間の相関度を計算する相関器３４を含み、最も高い相関度を有するＳＳＳを受信ＳＳＳに決定し、これによりＬＴＥセルを検出することになる。
【００２６】
サブフレーム０と５に存在するＳＳＳの位相差シーケンスは、下記数３のように生成される。
【００２７】
【数３】
2014204439.tif 000020
【００２８】
上記数３で、ｎは、０から６１までの数であり、ｘ（ｎ）はサブフレーム０と５のＳＳＳを表し、ｃｏｎｊは複素共役（ｃｏｎｊｕｇａｔｅ）演算を現す。
【００２９】
以上、添付した図面を参照して本発明のマルチセル環境におけるＬＴＥセル検出のためのＳＳＳ検出装置の好適な実施形態について詳細に説明したが、これは例示に過ぎず、本発明の技術的思想の範疇内で多様な変形と変更が可能である。よって、本発明の権利範囲は以下の特許請求の範囲の記載によって決定されるべきである。
【符号の説明】
【００３０】
１０    ＦＦＴ演算部
２０    ＬＴＥ時間同期獲得部
３０    セル検出部
４０    ＳＳＳ基準信号生成部
３２    第２ＳＳＳ位相差シーケンス生成部
３４    相関器
５０    第１ＳＳＳ位相差シーケンス生成部
６０    メモリ
【図１】
2014204439.tif 000022
【図２Ａ】
2014204439.tif 000023
【図２Ｂ】
2014204439.tif 000024
【図３】
2014204439.tif 000025
【図４】
2014204439.tif 000026